(57)【特許請求の範囲】
【請求項１】
所定の測量用座標データの格納手段及び測量用計算処理手段及び通信手段を備えたデータベースと、前記データベースの入出力端末となるインターネット通信可能な携帯電話とで構成され、前記データベースに、携帯電話の表示部への選択可能な処理内容を表示すること、並びに処理内容の選択確定による必要データ入力欄を表示すること、及び測点データ並びに計算結果データを表示することの処理プログラムを備えてなることを特徴とする測量支援システム。
【請求項２】
座標データや測点データの入力を、携帯電話の数値と「♯」「＊」キーによるプラスマイナス認識並び小数点認識で処理するプログラムを備えた請求項１記載の測量支援システム。
【請求項３】
測点データ並びに測点計算結果データを、他のデータベースへ転送する手段を備えた請求項１又は２記載の測量支援システム。
【発明の詳細な説明】
【０００１】
【産業上の利用分野】
本発明は、測量に際しての測点データの管理並びに各種計算処理を必要とする測量作業への支援システムに関するものである。
【０００２】
【従来技術及び発明が解決しようとする課題】
各種の測量は、基本的に既知の２点の座標位置を基準にして、計測対象の位置（新点）の既知の座標位置からの方向と距離を測定し、当該新点の座標位置を決定するものである。
【０００３】
ところで、測量現場では、新点の測点データは、既知点や計測した新点からの距離並びに方向が特定されたものであり、当該新点の座標位置の計算は、通常現場から離れた事務所等に設置したパソコンで行い、所定の処理を行う。そして当座標データに基づいて、地図の作成や、構築物の基礎データとして利用されるものである。
【０００４】
従って測量現場では、測点データを記録し、事務所などで記録した測点データのパソコン入力を行いデータ処理を行うものである。しかし測点が多数の場合には、現場での記録ミスが生じ易く、且つデータ入力時の入力ミスも生じ易い。何れかの測点データが確認できない場合には、再度の現場での測量作業が必要となって不便である。勿論パソコンや、ポケコンを携帯しても良いが、測量器具の他にこのような器具を携帯することは不便であると共に、当然電源の携帯も必要となり不便である。
【０００５】
そこで本発明は、ｉモード携帯電話のようなインターネット通信可能な携帯電話をデータ入出力端末に使用する測量支援システム及びそのデータ入力方法を提案したものである。
【０００６】
【課題を解決する手段】
本発明に係る測量支援システムは、所定の測量用座標データの格納手段及び測量用計算処理手段及び通信手段を備えたデータベースと、前記データベースの入出力端末となるインターネット通信可能な携帯電話とで構成され、前記データベースに、携帯電話の表示部への選択可能な処理内容を表示すること、並びに処理内容の選択確定による必要データ入力欄を表示すること、及び測点データ並びに計算結果データを表示することの処理プログラムを備えてなることを特徴とするものである。
【０００８】
更に座標データや測点データの入力を、携帯電話の数値と「♯」「＊」キーをプラスマイナス符号並び小数点として使用すると共に、データベースに当該認識処理を行うプログラムを備えさせたことを特徴とするものである。
【０００９】
而して測量現場においてインターネット通信可能な携帯電話（例えばｉモード携帯電話）で、データベースを格納したサイトを呼出し、所定の処理を選択して、所定の測点データを、数字と「♯」「＊」のキーを使用して入力送信すると、当該測点データから所定の計算処理を施して計算結果を携帯電話に返信表示したり、更に処理指示によって当該データ（測点データ、座標データ、計算結果）をデータベースに記録するもので、現場にｉモード機能を備えた携帯電話を携帯するのみで、パソコンを携帯したと同様の作業が実施できる。
【００１０】
また特に前記システムにおいて、測点データ並びに測点計算結果データを、他のデータベースへ転送する手段を備えていれば、計算処理するサイトを複数の測量作業者を対象とした支援センターとし、各測量者は、当該支援センターから自己のパソコンにデータ転送ができ、測量データに基づく諸作業は、自己のパソコンで実施することができる。
【００１１】
【実施の形態】
本発明の実施形態を簡便に説明すると、模式的には、図１に例示する通り、作業現場で測量作業従事者１がインターネット通信可能な携帯電話例えばｉモード携帯電話２を携帯して測量作業を行う。同時に携帯電話２で、インターネットサーバー（ｉモードセンター）３とインターネット４を通じて所定（既知）のアドレスでデータベースサイト５を呼び出し、携帯電話２を入出力端末として使用する。即ちデータベースサイト５を呼び出し、当該サイト５において、使用するデータベース（測量現場単位）を選択し、更に処理すべき内容を選択して送信し、前記の選択で、所定の測点データ処理を行う。
【００１２】
測点データ処理は、例えばトラバース測量、路線計算、曲線測設等のデータベース側からのメニュー表示（携帯電話２に表示された選択枝が存在し、携帯電話のレバースイッチと確定スイッチで特定できる画面）から、所望の処理を選択して送信を行い、更に当該選択した処理メニュー毎に作成されている階層的な構造であるメニュー表示から、順次必要事項を選択して送信する。
【００１３】
新点である測点データの送信に際しては、数字と「♯」「＊」のキーを使用して入力し、送信すると、当該測点データに基づいて所定の計算処理をして計算結果を返信表示したり、当該測点の座標データを返信表示する。
【００１４】
前記の返信表示がなされた座標データ等についてのデータ管理（測点表示、測点入力、測点整理、測点削除、測点送信：他のデータベース６へ）も、必要処理の選択指示送信によってデータベース上で処理される。
【００１５】
【実施例】
次に本発明の実施例について説明する。本願発明は、各測量従事者が自己のパソコンに直接アクセスし、自己のパソコンをデータベースのサイトとして使用することもできるが、実施例は、不特定の測量従事者からのアクセスにも対応できるようにオープンにしているもので、未登録者は、当該サイトにアクセスして所定の使用者登録を行って当該データベースを使用するものである。
【００１６】
最初に携帯電話２でデータベース５を呼び出す。呼出は、インターネット４を通じて当該サイトのアドレスで行う。呼出後に、所定の使用者特定手続き（自己コードやパスワードの入力）を行い、画面０１で工事対応データベースの選択を行う。即ち当該使用者毎に複数の現場（工事の表示）への支援が可能なようにしておく。
【００１７】
所定の工事（測量現場）を指定した後に、図３に例示するとおり、「総合メニュー：画面０２」が携帯電話液晶画面に表示される。総合メニューは、「０．測点管理」「１．トラバース」「２．路線計算」「３．交点計算」「４．単曲線」「５．クロソイド」「６．案内」の表示がなされ、携帯電話のレバースイッチ並びに確定スイッチで確定し、送信する。送信によって次の処理項目の表示が返信され、順次選択や数値入力を行う。
【００１８】
総合メニュー（画面０２）から「０．測点管理」を選択した場合（他のメニューからも選択される）について説明する。前記の「０．測点管理」を選択すると、図４に例示するように、「測点管理メニュー：画面１０」が表示される。測点管理メニュー（画面１０）は、「０．測点を見る」「１．測点の入力」「２．座標の変換」「３．測点の整理」「４．測点の全削除」「５．測点を送信」の選択が可能で、また「総合メニューに戻る」も選択できる。
【００１９】
「０．測点を見る」は、データベースにある測点の座標などが正確に入力されているか確認するときに使用するもので、当該処理事項を選択すると、所定の測点が表示される。但し液晶画面における測点の表示には限界があるので、適宜な検索機能を付与しておく。例えば測点ナンバーを数字キーで入力すると、当該測点ナンバーに関連する測点が表示される。図示（画面１１）の例は、「ナンバー２５」を入力した際に２個の測点が表示されたものである。仮に「ナンバー２」を入力すると、「Ｎｏ．２」「Ｎｏ．２１」「Ｎｏ．２１＋ｎ」「Ｎｏ．２２」・・・・と表示される。
【００２０】
そして見たい測点「Ｎｏ．２５＋９．５９１」で確定すると、測点データの編集画面１１ａになり、編集が終了すると登録ボタンでデータベースに登録する。
【００２１】
「１．測点の入力」は、測点をまとめて入力するときに使う。入力手法は、画面１２の入力画面において、測点を入力するもので、例えば「測点Ｎｏ．１１＋１２．４５６、ｘ＝−１２５４．７４８５、ｙ＝−２７１４５１．４５６４、追加距離２５２．４５６」を入力する場合、携帯電話では数字以外の文字を入力するときには入力モードを切り替えなければならなく、そのままの入力では、操作が煩雑となる。そこで「プラス［＋］→［♯］、小数点［．］→［＊］」を代用し、自動的に変換するようにする。従って画面１２ａのように、所定の入力欄に［１１♯１２＊４５６］と入力することで、［１１＋１２．４５６］と変換して処理され、登録を選択するとデータベースに登録される。又登録のボタンを押したときに、もし同じ測点名がデータベース上に存在しているときは「上書きしますか？」と聞いて、「はい」または「いいえ」の選択を行う。尚キーの代用は、測点入力は「プラス［＋］→［♯］」だが、座標の入力では、「マイナス［−］→［＃］」に変換される。
【００２２】
「２．座標の変換」は、任意座標で測量をした結果を国家座標などに変換するもので、画面１３で指定座標Ａ１及びＡ２の二点を任意で選んでその点を元に、一つの工事データベース内のデータをすべて変換する。
【００２３】
「３．測点の整理」は、必要でなくなった測点データを消去するもので、例えば測点「Ｎｏ．２５＋９．５９１」を消去する場合、画面１４の通常の測点表示（１５個の測点を表示し、スクロールして見ることができる。）から、更に携帯電話の「２」のキーを押すことで、測点の先頭に「２」の付く測点が検索されるので、更に「５」を押すと、「Ｎｏ．２５」と「Ｎｏ．２５＋９．５９１」が表示される（画面１４ａ）。最後に「Ｎｏ．２５＋９．５９１」を選択して特定し、削除する。
【００２４】
「４．測点を全削除」は、画面０１で選択した工事のデータベースのデータをすべて削除する。使用工事の種類が多いと、処理容量がおおきくなるので、工事毎のデータベースをある程度制限しなければならない（実施例は３種の工事）。そこで、新規工事のデータベースを構築する場合には、他の工事のデータベースを削除する必要がある。そこで画面１０で「４．測点を全削除」を選択すると、画面１５が表示され、削除の選択決定を行う。
【００２５】
「５．測点を送信」は、画面０１で選択した工事のデータベースのデータを、指定のメールアドレスに送信するもので、データを自己のパソコンなどにコピーしたい場合に使用する。当該メニューを選択すると画面１６が表示され、送信を選択すると、送信が行なわれる。尚異なるアドレスに送信する場合には、アドレス入力をし直して送信を指示する。
【００２６】
総合メニュー（画面０２）から「１．トラバース」を選択した場合について説明する。前記の「１．トラバース」を選択すると、図５に例示するように、「トラバースメニュー：画面２０」が表示される。トラバースメニュー（画面２０）は、「０．測点管理」「１．放射トラバース」「２．放射逆計算」「３．開放トラバース」「４．結合トラバース」「５．閉合トラバース」の選択が可能で、また「総合メニューに戻る」も選択できる。
【００２７】
「１．放射トラバース」は、図６に例示するとおり、既知の視準点「１０００」と器械点「１００１」を基準に、放射状に測点「１００２」「１００３」「１０００４」「１０００５」の測点データを入力するものである。即ち器械点の座標入力（画面２１）、視準点の座標入力を行い、その後、各測点のデータ（角度と距離）を順次入力し、最終の測点「１００５」のデータ「９８度４１分１８秒、距離１２．１４０ｍ」を入力すると（画面２１ａ）、そこで計算指示を行い、計算結果（画面２１ｂ）を確認し、データベースに測点データの登録を行う。
【００２８】
「２．放射逆計算」は、図６の既知の視準点「１０００」と器械点「１００１」を基準として各座標の角度と距離を計算する（画面２２，２２ａ，２２ｂ）。
【００２９】
「３．開放トラバース」は、図７で例示するとおり既知の視準点「１０００」と始点「１００１」を基準にして、順次終点「１００５」までの、角度、距離を入力し（画面２３，２３ａ）、座標データの計算を行う（画面２３ｂ）。
【００３０】
「４．結合トラバース」は、図８に例示するとおり、既知の後視点「５００」と始点「５０１」を基準にして（画面２４）、順次測点「５０２」・・・終点「５０７」のデータを入力し、既知の前視点「５０８」（距離データ不要）のデータを入力し（画面２４ａ）、所定計算処理（画面２４ｂ）して、データベースへの通信登録を行う。
【００３１】
「５．閉合トラバース」は、既知の始点「１００１」及び視準点「１０００」を基準として、始点「１００１」（画面２５）から順次各測点の角度、距離のデータを入力し、視準点「１０００」（画面２５ａ）を経て、最後に始点「１００１」に戻って（画面２５ｂ）、全体の座標を計算する（画面２５ｃ）。
【００３２】
総合メニュー（画面０２）から「２．路線計算」を選択した場合について説明する。前記の「２．路線計算」を選択すると、図３及び図１０に例示するように、「路線計算メニュー：画面３０」が表示される。路線計算メニュー（画面３０）は、「０．測点管理」「１．路線単曲線」「２．路線クロソノイド」の選択が可能で、また「総合メニューに戻る」も選択できる。
【００３３】
「１．路線単曲線」では、図１１に示す路線単曲線を計算するもので、始点、ＩＰ、終点などの基本的なデータを入力する（画面３１〜３１ａ）だけで計算処理ができる。勿論計算処理を工事の始まる前に行っておくとほとんどの入力が選択するだけで良い。更に特に求めたい中間点についても計算処理できるようにしている（画面３１ｂ，３１ｃ，３１ｄ）。勿論中間点を求めない計算処理も当然になされる（画面３１ｆ〜３１ｇ）。
【００３４】
「２．路線クロソイド」では、図１１に示した路線クロソイドを計算処理するもので、必要とする始点、ＩＰ、終点などの基本的なデータを入力（またはデータベースからのデータ呼出）するだけで計算処理できるもので、図１２の各画面（画面３２〜３２ｉ、入力画面を一部省略）に示す順序で、画面表示の指示で順次選択入力して所定の計算処理を行う。
【００３５】
総合メニュー（画面０２）から「３．交点計算」を選択した場合について説明する。前記の「３．交点計算」を選択すると、図３及び図１３に例示するように、「交点計算メニュー：画面４０」が表示される。交点計算メニュー（画面４０）は、「０．測点管理」「１．直線と直線」「２．単曲線と直線」「３．直線と任意点」「４．単曲線と任意点」「５．円と円」「６．後方交会」の選択が可能で、また「総合メニューに戻る」も選択できる。
【００３６】
「１．直線と直線」では、図１５に示したように、点Ａ０，Ａ１で特定した直線Ａと、Ｂ０，Ｂ１で特定した直線Ｂとの交点を算出するもので、図１３に例示するように点Ａ０〜点Ｂ１の座標データを入力し（画面４１、画面４１ａ）、交点「１０１１」の交点座標を計算表示する（画面４１ｂ）。
【００３７】
「２．単曲線と直線」は、図１６で示したように単曲線と直線の交点を計算するもので、単曲線特定のための座標「ＢＣ，ＩＰ，ＥＣ」の入力並びに直線特定のための座標「Ｂ０，Ｂ１」を入力すると、所定の計算処理がなされ、交点座標が算出表示される（画面４２〜４２ｃ）。
【００３８】
「３．直線と任意点」を選択すると、図１７で示したように直線「Ａ０，Ａ１」と、任意点「Ｂ」との交点を計算するもので、直線特定のための座標「Ａ０，Ａ１」の入力並びに任意点特定のための座標「Ｂ」を入力すると、所定の計算処理がなされ、交点座標が算出表示される（図１４、画面４３〜４３ａ）。
【００３９】
「４．単曲線と任意点」は、図１８で示したように単曲線と任意点の交点を計算するもので、単曲線特定のための座標「ＢＣ，ＩＰ，ＥＣ」の入力並びに任意点特定のための座標「Ｂ」を入力すると、所定の計算処理がなされ、交点座標が算出表示される（画面４４〜４４ａ）。
【００４０】
「５．円と円」は、図１９で示したように単曲既知の点Ａ，Ｂを中心とする円の交点を計算するもので、円特定のための中心座標「Ａ，Ｂ」と各円の半径「ｒａ，ｒｂ」を入力すると所定の計算処理がなされ、交点座標が算出表示される（画面４５〜４５ａ）。
【００４１】
「６．後方交会」は、任意器械点計算を行うもので、図２０で示したように既知点「Ａ，Ｂ」の入力と、既知点「Ａ，Ｂ」からの距離並びに右回り挟角を入力することで、任意点「Ｃ」の座標が算出表示される（画面４６〜４６ａ）。
【００４２】
総合メニュー（画面０２）から「４．単曲線」を選択した場合について説明する。前記の「４．単曲線」を選択すると、図３及び図２１に例示するように、「単曲線の入力：画面５０」が表示される。路線計算メニュー（画面５０）で「はい」を選択すると、登録済みの測点を検索して決定すればよく、「いいえ」を選択した場合には、図２２に示すように単曲線特定のための座標「ＢＣ，ＩＰ，ＥＣ」の入力（画面５１）並びに巾の入力（画面５１ａ）を行い、所定の計算処理がなされ、計算結果の表示（画面５１ｂ）並びに必要事項の登録（画面５１ｃ）を行う。
【００４３】
総合メニュー（画面０２）から「５．クロソノイド」を選択した場合について説明する。前記の「５．クロソノイド」を選択すると図３及び図２３に例示するように、「クロソイド座標の入力：画面６０」が表示される。クロソノイド座標の入力（画面６０）で「はい」を選択すると、登録済みの測点を検索して決定すればよく、「いいえ」を選択した場合には、図２４に示すようにクロソノイド特定のための座標「ＫＡ１，ＩＰ，ＫＡ２」の入力（画面６１）並びに巾の入力（画面６１ａ）を行い、所定の計算処理がなされ、計算結果の表示（画面６１ｂ）並びに必要事項の登録（画面６１ｃ）を行う。
【００４４】
更に総合メニュー（画面０２）には、「６．案内」を設けておき、当該「６．案内」を選択し場合には、「案内メニュー：画面７０」が表示され、所定の必要案内事項を画面表示するようにしてなる。
【００４５】
本発明の実施例について説明したが、本発明は前記実施例に限定されるものではなく、実施例に記載された一部の表示処理を削除しても良いし、また更に必要事項を付け加えても良い。
【００４６】
【発明の効果】
以上のように本発明は、所定の測量用座標データの格納手段及び測量用計算処理手段及び通信手段を備え、インターネット通信による携帯電話のメール受信によって指示された処理手段を備えたデータベースを利用することを特徴とする測量支援システムで、測量現場から携帯電話を使用することで、測量現場に所定の計算プログラムを備えたパソコンを携帯したと同様であり、測量作業の効率化が図られるものである。
【図面の簡単な説明】
【図１】  本願発明の実施形態の外観図。
【図２】  同簡易な処理フローチャート。
【図３】  本願発明の実施例の表示画面説明図（開始部分）。
【図４】  同表示画面説明図（測点管理）。
【図５】  同表示画面説明図（トラバース）。
【図６】  同測量位置説明図（放射トラバース）。
【図７】  同測量位置説明図（開放トラバース、閉合トラバース）。
【図８】  同測量位置説明図（結合トラバース）。
【図９】  同表示画面説明図（トラバース）。
【図１０】  同表示画面説明図（路線計算：単曲線）。
【図１１】  同測量位置説明図（路線計算）。
【図１２】  同表示画面説明図（路線計算：クロソイド）。
【図１３】  同表示画面説明図（交点計算：直直、単直）。
【図１４】  同表示画面説明図（交点計算：直点、単点、円円、後方交会）。
【図１５】  同測量位置説明図（交点計算：直直交点）。
【図１６】  同測量位置説明図（交点計算：単直交点）。
【図１７】  同測量位置説明図（交点計算：直点交点）。
【図１８】  同測量位置説明図（交点計算：単点交点）。
【図１９】  同測量位置説明図（交点計算：円と円）。
【図２０】  同測量位置説明図（交点計算：後方交会）。
【図２１】  同表示画面説明図（単曲線）。
【図２２】  同測量位置説明図（単曲線）。
【図２３】  同表示画面説明図（クロソイド）。
【図２４】  同測量位置説明図（クロソイド）。
【符号の説明】
１  測量作業従事者
２  携帯電話
３  インターネットサーバー（ｉモードセンター）
４  インターネット
５  サイト
６  利用者端末（パソコン）
【図１】
0004190722.tif 000002
【図２】
0004190722.tif 000003
【図３】
0004190722.tif 000004
【図４】
0004190722.tif 000005
【図５】
0004190722.tif 000006
【図６】
0004190722.tif 000007
【図７】
0004190722.tif 000008
【図８】
0004190722.tif 000009
【図９】
0004190722.tif 000010
【図１０】
0004190722.tif 000011
【図１１】
0004190722.tif 000012
【図１２】
0004190722.tif 000013
【図１３】
0004190722.tif 000014
【図１４】
0004190722.tif 000015
【図１５】
0004190722.tif 000016
【図１６】
0004190722.tif 000017
【図１７】
0004190722.tif 000018
【図１８】
0004190722.tif 000019
【図１９】
0004190722.tif 000020
【図２０】
0004190722.tif 000021
【図２１】
0004190722.tif 000022
【図２２】
0004190722.tif 000023
【図２３】
0004190722.tif 000024
【図２４】
0004190722.tif 000025